(57)【特許請求の範囲】
【請求項１】
主制御装置と、この主制御装置に伝送線を介して接続される端末器群から成り、多重伝送によって伝送データを送って端末器にアクセスし、当該端末器に対する制御を行うとともに、端末器から監視状態を示す伝送データを返信させることで端末器の制御／監視を行う制御／監視機能を主制御装置に備えた多重伝送システムに用いられるものであって、
上記主制御装置と１乃至複数の端末器との間の伝送線の位置若しくは、１乃至複数の第１の端末器と１乃至複数の第２の端末器との間の伝送線の位置に挿入され、上記主制御装置が接続されている一次側の伝送線上を伝送される上記主制御装置からの伝送データを、上記主制御装置が接続されていない二次側の伝送線上に中継伝送し、該二次側の伝送線上に接続されている端末器からの伝送データを一次側の伝送線上に中継伝送する中継手段と、該中継手段により中継伝送される上記伝送データを蓄積する伝送データ記憶手段とを備えるとともに、
上記主制御装置による二次側の伝送線に接続された端末器の制御／監視が可能でない状態と判断した場合、伝送データ記憶手段から上記伝送データを読み出して二次側の伝送線に接続された端末器の状態を設定し、当該端末器に対して上記主制御装置の上記制御／監視機能を代行する二次側監視制御処理手段とを備えていることを特徴とする多重伝送システムの監視制御装置。
【請求項２】
複数の端末器を一括して同じ制御内容で若しくは各端末器毎の制御内容で制御する制御モード時の伝送データを伝送データ記憶手段から読み出し、上記中継手段を介して一次側の上記伝送線に接続されている上記主制御装置へ伝送データとして伝送するデータ入出力処理手段と、該データ入出力処理手段の伝送データ記憶手段からのデータ読み出し開始及び一次側の上記伝送線上への伝送開始のトリガを与えるデータ入出力開始手段とを備えていることを特徴とする請求項１記の多重伝送システムの監視制御装置。
【請求項３】
予約データを指定する予約データ設定機能手段と、指定された予約データを記憶する予約データ記憶手段と、タイマーデータを処理するタイマー処理手段と、予約データとタイマーデータより指定された端末器の制御処理を実施するタイマー予約制御処理手段とを備えていることを特徴とする請求項１記載の多重伝送システムの監視制御装置。
【発明の詳細な説明】
【０００１】
【発明の属する技術分野】
本発明は多重伝送システムの監視制御装置に関するものである。
【０００２】
【従来の技術】
図１１は、多重伝送システムの基本的な構成を示しており、この基本的な構成では、主制御装置１と、端末器２…とを伝送線３を介して接続し、主制御装置１からは図１２に示すフォーマットの伝送データを時分割多重伝送によりサイクリックに伝送するようになっている。つまり伝送データは、スタートパルスＳＰと、アクセスする端末器２のアドレスを指定するアドレス指定部分ＡＤと、端末器２の制御に当たり、端末器２に渡す制御内容（制御モード等）及び制御データからなる制御部分ＣＤと、チェックサムＣＳと、端末器２から動作状態を示す監視データの返信信号を主制御装置１へ伝送させる返信信号待機期間ＷＴと、エンドパルスＥＰからなり、この伝送データを時分割多重伝によって各アドレスに対応して順次サイクリックに伝送し、主制御装置１を中心として端末器２…の制御／監視を行うようになっている。そして端末器２から返信される監視データが端末器２から主制御装置１への伝送データを構成するのである。
【０００３】
ところで主制御装置１と端末器２…からなる多重伝送システムにおいて、端末器２と主制御装置１との間の伝送線３が長くなると信号減衰等が起きる場合、図１３に示すように主制御装置１と端末器群Ａの間の伝送線或いは図１４に示すように端末器群Ａと端末器群Ｂとの間の伝送線に中継手段たる監視制御装置４を介在させている。
【０００４】
この監視制御装置４は、一次側の伝送線３１を介して主制御装置１側との多重伝送処理を実施する一次側伝送部５と、二次側の伝送線３２に接続された端末器群との多重伝送処理を実施する二次側伝送部６と、一次側と二次側の多重伝送を中継する伝送中継処理部７とを備えているものである。
【０００５】
【発明が解決しようとする課題】
ところで上述の従来例の監視制御装置４を用いた多重伝送システムでは、一次側の主制御装置１と二次側の上記伝送線３２に接続された端末器群との間の多重伝送データの中継を単に行うものであるため、一次側もしくは二次側における多重伝送に異常状態が発生した場合、一次側も二次側も、つまり多重伝送システム全体が正常に機能しなくなるという問題がある。
【０００６】
また、異常発生前後に主制御装置１から端末器２に対する制御や、端末器２の監視が実施された場合、それらの制御や監視の処理が途中で中断されている恐れもある。
【０００７】
本発明は、上記の問題点に鑑みて為されたもので、その目的とするところは、一次側もしくは二次側に伝送異常状態等の障害が発生しても障害が他方へ影響するのを防止し、多重伝送システム全体が正常に機能しなくなるのを防ぐことができる多重伝送システムの監視制御装置を提供するにある。
【０００８】
【課題を解決するための手段】
請求項１の発明では、主制御装置と、この主制御装置に伝送線を介して接続される端末器群から成り、多重伝送によって伝送データを送って端末器にアクセスし、当該端末器に対する制御を行うとともに、端末器から監視状態を示す伝送データを返信させることで端末器の制御／監視を行う制御／監視機能を主制御装置に備えた多重伝送システムに用いられるものであって、上記主制御装置と１乃至複数の端末器との間の伝送線の位置若しくは、１乃至複数の第１の端末器と１乃至複数の第２の端末器との間の伝送線の位置に挿入され、上記主制御装置が接続されている一次側の伝送線上を伝送される上記主制御装置からの伝送データを、上記主制御装置が接続されていない二次側の伝送線上に中継伝送し、該二次側の伝送線上に接続されている端末器からの伝送データを一次側の伝送線上に中継伝送する中継手段と、該中継手段により中継伝送される上記伝送データを蓄積する伝送データ記憶手段とを備えるとともに、上記主制御装置による二次側の伝送線に接続された端末器の制御／監視が可能でない状態と判断した場合、伝送データ記憶手段から上記伝送データを読み出して二次側の伝送線に接続された端末器の状態を設定し、当該端末器に対して上記主制御装置の上記制御／監視機能を代行する二次側監視制御処理手段とを備えていることを特徴とする。
【０００９】
請求項２の発明では、請求項１の発明において、複数の端末器を一括して同じ制御内容で若しくは各端末器毎の制御内容で制御する制御モード時の伝送データを伝送データ記憶手段から読み出し、上記中継手段を介して一次側の上記伝送線に接続されている上記主制御装置へ伝送データとして伝送するデータ入出力処理手段と、該データ入出力処理手段の伝送データ記憶手段からのデータ読み出し開始及び一次側の上記伝送線上への伝送開始のトリガを与えるデータ入出力開始手段とを備えていることを特徴とする。
【００１２】
請求項３の発明では、請求項１の発明において、予約データを指定する予約データ設定機能手段と、指定された予約データを記憶する予約データ記憶手段と、タイマーデータを処理するタイマー処理手段と、予約データとタイマーデータより指定された端末器の制御処理を実施するタイマー予約制御処理手段とを備えていることを特徴とする。
【００１３】
【発明の実施の形態】
以下本発明を基本形態および実施形態により説明する。
【００１４】
（基本形態１）
本基本形態の監視制御装置４は、図１に示すように、従来例と同様に中継手段として、一次側伝送部５と、二次側伝送部６と、伝送中継処理部７とを備えるとともに、一次側の伝送線３１からの二次側の伝送線３２に、或いはその逆方向に中継する伝送データを蓄積する伝送データ記憶部８を備えている点で従来例と相違する。
【００１５】
ここで伝送データは上述したフォーマットにより構成されたもので、接続されている操作スイッチや或いは被制御負荷の動作状態を当該端末器２から返信させたり、主制御装置１や多重伝送通信のバージョン情報、負荷制御等の制御内容を伝送する。
【００１６】
ここで制御には個別に制御する個別制御の他に複数の負荷を一括して制御するためのグループ制御またはパターン制御があり、グループ制御はアドレス指定した端末器２群を一つのグループとして予め設定しておき、このグループに対応する端末器２からグループ制御に対応する操作データ（監視データ）が伝送されててくると、主制御装置１は同時に同一の制御（負荷制御用の端末器２に接続される被制御負荷が照明であれば、照明器具のオン／オフ、調光率変更制御、点滅時間間隔指定等の制御）をかけるように、当該グループに属する各端末器２に対して制御データを送る制御を言う。
【００１７】
一方パターン制御は、予め決めてあるパターン制御対象の各端末器２にそれぞれに対応して予め決めてある制御（負荷制御用の端末器２に接続される被制御負荷が照明であれば、照明器具のオン／オフ、調光率変更制御、点滅時間間隔指定等の制御）をかけるように制御データを送る制御を言う。
【００１８】
さて上記伝送データ記憶部８は例えば電源がバックアップされているＲＡＭやＥＥＰＲＯＭ等不揮発性のメモリから構成され、監視制御装置４から取り外せるようになっている。
【００１９】
而して通常時において伝送データ記憶部８は、一次側の伝送線３１から二次側の伝送線３２へ、また二次側の伝送線３２から一次側の伝送線３２へ中継した伝送データを伝送中継処理部７の制御の下で記憶する。この記憶される伝送データは最新の伝送データでよく、一定量溜まれば順次更新することで、少ない記憶容量のメモリが使用できるようになっている。
【００２０】
そしてシステムに伝送異常が発生して、システムダウンがあった場合、管理者は伝送データ記憶部８を監視制御装置４から取り外して、その記憶されている伝送データの内容分析を行い、その分析結果に基づいて異常発生直前の状態に主制御装置１や、端末器２の動作状態を戻すことで、異常発生直前のシステム状態に復旧することができるのである。
【００２１】
なお基本的な構成は従来例と同じであるから、構成及びその動作の説明を省略する。
【００２２】
（基本形態２）
本基本形態は伝送データ記憶部８で記憶している伝送データ中グループ制御或いはパターン制御の伝送データを自動或いは手動で主制御装置１に送信することができるようにした点に特徴がある。
【００２３】
つまり本基本形態は、グループ制御やパターン制御に対応する伝送データ記憶部８から対応する伝送データを読み出して該伝送データを主制御装置１へ一次側伝送部５を介して送信させる処理を行うデータ入出力処理部９と、該データ入出力処理部９に対して伝送データの読み出しと、伝送処理を行わせるトリガ信号をデータ入出力処理部９へ与えるデータ入出力開始機能部１０とを基本形態１の構成に加えている。
【００２４】
ここでデータ入出力開始機能部１０からデータ入出力処理部にトリガ信号を与える方法には、スイッチなどのハード操作によるものと、伝送中継処理部７からの指示による自動とによるもの、または双方の組み合わせがある。
【００２５】
ここでハード操作の場合は、ユーザーが入出力したいときに操作してデータ入出力開始機能部１０からデータ入出力処理部９にトリガを与える方法であり、一方自動では、例えば主制御装置１が交換される場合やメンテナンスにより伝送線３から切り離された場合、主制御装置１からの伝送データの送信が途絶えたことを伝送中継処理部７が検知し、その後主制御装置１が稼働し始めたことを検知すると、データ入出力開始機能部１０に検知信号を与え、この検知信号を受けるとデータ入出力開始機能部１０はデータ入出力処理部９にトリガを与えるのである。
【００２６】
このようにして本基本形態では主制御装置１が交換される場合やメンテナンスにより伝送線３から切り離されてシステム停止があっても、主制御装置１が稼働してシステムが復旧すると自動的に或いはユーザーによる指示により主制御装置１にグループ制御状態或いはパターン制御のデータを伝送することで、主制御装置１に設けられた記憶部（図示せず）にシステム停止直前のデータを記憶させ、そのデータに基づいて負荷状態を復旧させることができるのである。
【００２７】
なおその他の構成及び動作は基本形態１と同じであるから説明は省略する。
【００２８】
（基本形態３）
本基本形態は図３に示すように基本形態１の構成に加えて伝送データ記憶部８に記憶させている伝送データを外部に出力したり、伝送データを修正したりするためのデータを外部から入力するためのインターフェースとして、伝送データ記憶部８と外部機器１１との間の通信処理を行う外部機器通信処理部１０を備えた点に特徴がある。
【００２９】
外部機器１１はキーボードやマウス等の入力装置を備えたパソコンのような装置からなり、伝送データ記憶部８の記憶している伝送データを読み出して確認したり、読み出した伝送データに加工して伝送データ記憶部８に書き戻すことができるのである。
【００３０】
なおその他の構成及び動作は基本形態１と同じであるから説明は省略する。
【００３１】
（実施形態１）
本実施形態は、図４に示すように、一次側の伝送線３１の断線や主制御装置１の状態が二次側の伝送線３２に接続されている端末器２…を制御／監視できない状態、つまりシステム状態が信号無しの状態となったり、主制御装置１の初期処理中や端末器２をグループ化するためのグループ設定モード中等であると判断される場合に動作して二次側伝送線３２に接続されている端末器２…に対して主制御装置１と同様に監視・制御を行う二次側監視処理部１２を備えた点に特徴がある。
【００３２】
つまり上記の判断を伝送中継処理部７が行い、この判断時に一次側と二次側との間の中継処理を中断して、二次側監視制御処理部１２に主制御装置１の疑似処理の開始要求を出す。この開始要求に対応して二次側監視制御処理部１２は伝送データ記憶部８から伝送データを読み出して二次側の伝送線３２に接続された端末器２の状態を設定し、主制御装置１の擬似処理を行い、二次側の伝送線３２に接続された端末器２の制御／監視を維持する。この際二次側監視制御処理部１２と二次側の伝送線３２に接続された端末器２とのデータの授受はデータ中継処理部７、二次側伝送部６を通じて行う。そして主制御装置１が通常通りの動作を開始すると、伝送中継処理部７は二次側監視制御処理部１２に疑似処理の停止要求を出して疑似処理を停止させる。
【００３３】
伝送中継処理部７の代わりに上記判断を二次側監視制御処理部１２自体で行うようにしてもよい。この場合は伝送中継処理部７に対して一次側と二次側の中継処理の開始/中断要求を二次側監視制御処理部１２で出す必要がある。
【００３４】
なおその他の構成及び動作は基本形態１と同じであるから説明は省略する。
【００３５】
（基本形態４）
本基本形態は、図５に示すように制御する端末器２やグループ制御やパターン制御のアドレスとオン／オフ等の制御内容と制御する年月日時刻をテンキーなどのデータ入力機能の操作により予約データとして設定する予約データ設定機能部１５と、設定された予約データを蓄積する予約データ記憶部１６と、タイマーデータ(現在の年月日時刻)をカウントするタイマー処理部１４と、予約データ記憶部１６に蓄積される予約データとタイマー処理部１４でカウントするタイマーデータとを照合し、予約データの制御を実施するタイマー予約制御処理部１３とを備えた点に特徴を有する。
【００３６】
また、伝送データ記憶部８が記憶している伝送データから各端末器２の状態をチェックし、既に予約データの状態にある場合は、制御処理を省略することも可能となる。
【００３７】
このように本基本形態では、主制御装置１からみて端末器２として１３乃至１６の各構成要素により動作し、予約せる年月日時刻になると、予約された制御内容を端末制御のための操作データ（監視データ）として一次側伝送部５を通じて主制御装置１に返信する動作を行う。
【００３８】
尚その他の構成及び動作は基本形態１と同じであるから説明は省略する。勿論予約された時刻になると、伝送データ記憶部８に記憶済みのデータを、主制御装置１へ送信するようにしても良い。
【００３９】
（基本形態５）
本基本形態は、図６に示すように基本形態２の構成に基本形態３の構成を組み合わせたものであって、外部機器通信処理部１０を介して外部機器１１より主制御装置１とのグループやパターンのデータ入出力処理の開始を指示できる点に特徴がある。尚基本形態３と同様に外部機器１１により伝送データ記憶部８のグループやパターンのデータの変更/追加/削除することが可能となる。また基本形態２と同様なデータの伝送が行えるものであり、基本形態２、３に対応する構成及びその動作はそれぞれの基本形態と同じであるから説明は省略する。
【００４０】
（実施形態２）
本実施形態は図７に示すように基本形態２の構成に実施形態１の構成を組み合わせて、監視制御装置４が主制御装置１とグループやパターンのデータ入出力処理を実施している間も、伝送中継処理部７は一次側と二次側の中継処理を中断し、また二次側監視制御処理部１２は主制御装置１の擬似処理を行って二次側の伝送線３２に接続された端末器２の制御／監視を維持する点に特徴がある。
【００４１】
尚その他の実施形態１および基本形態２に対応する構成及びその動作はそれぞれの実施形態および基本形態と同じであるから説明は省略する。
【００４２】
（基本形態６）
本基本形態は図８に示すように基本形態３の構成に基本形態４の構成を組み合わせ、外部機器通信処理部１０にて外部機器１１と予約データ記憶部１６とのインターフェースも実現し、外部機器１１による予約データの入出力を可能としたもので、外部機器１１により予約データ記憶部１６の予約データを変更／追加／削除することができる。
【００４３】
尚その他の基本形態３、４に対応する構成及びその動作はそれぞれの基本形態と同じであるから説明は省略する。
【００４４】
（実施形態３）
本実施形態は図９に示すように実施形態１の構成に基本形態４の構成を組み合わせ、主制御装置１の状態が２次側の伝送線３２に接続されている端末器２を制御／監視できない状態と判断した場合、伝送中継処理部７が一次側と二次側の中継処理を中断して、二次側監視制御処理部１２が主制御装置１の擬似処理を行い、二次側の伝送線３２に接続された端末器２の動作を維持する中で、予約データ記憶部１６に蓄積される予約データとタイマー処理部１４でカウントするタイマーデータを照合し、二次側での予約データの制御を実施可能としたものである。
【００４５】
尚その他の実施形態１および基本形態４に対応する構成及びその動作はそれぞれの実施形態および基本形態と同じであるから説明は省略する。
【００４６】
（基本形態７）
本実施形態は基本形態２の構成に、基本形態４の構成を組み合わせて、監視制御装置４が一次側の主制御装置１とグループやパターンデータの入出力処理を実施している間にタイマー予約制御の実施時刻になった場合、グループやパターンのデータ入出力処理を中断して１３乃至１６の構成要素によるタイマー予約制御を実施することを可能とした点に特徴がある。尚タイマー予約制御終了後はグループデータ入出力処理部１７，データ入出力開始機能部１８によるグループやパターンのデータ入出力処理を再開する。
【００４７】
また、タイマー予約データに優先度を付加することにより、グループデータ入出力処理を中断してタイマー予約制御を実施するか、グループデータ入出力処理の終了後にタイマー予約制御を実施するかの自動判断がタイマー予約制御処理部１３によってできるようにしてある。
【００４８】
尚その他の基本形態２、４に対応する構成及びその動作はそれぞれの基本形態と同じであるから説明は省略する。
【００４９】
【発明の効果】
請求項１の発明は、主制御装置と、この主制御装置に伝送線を介して接続される端末器群から成り、多重伝送によって伝送データを送って端末器にアクセスし、当該端末器に対する制御を行うとともに、端末器から監視状態を示す伝送データを返信させることで端末器の制御／監視を行う制御／監視機能を主制御装置に備えた多重伝送システムに用いられるものであって、上記主制御装置と１乃至複数の端末器との間の伝送線の位置若しくは、１乃至複数の第１の端末器と１乃至複数の第２の端末器との間の伝送線の位置に挿入され、上記主制御装置が接続されている一次側の伝送線上を伝送される上記主制御装置からの伝送データを、上記主制御装置が接続されていない二次側の伝送線上に中継伝送し、該二次側の伝送線上に接続されている端末器からの伝送データを一次側の伝送線上に中継伝送する中継手段と、該中継手段により中継伝送される上記伝送データを蓄積する伝送データ記憶手段とを備えるとともに、上記主制御装置による二次側の伝送線に接続された端末器の制御／監視が可能でない状態と判断した場合、伝送データ記憶手段から上記伝送データを読み出して二次側の伝送線に接続された端末器の状態を設定し、当該端末器に対して上記主制御装置の上記制御／監視機能を代行する二次側監視制御処理手段とを備えているので、監視制御装置内に伝送データを蓄積することが可能となり、システム異常時や、メンテナンス時に主制御装置の制御／監視の動作が中断しても蓄積した伝送データを用いてシステム復旧等を図ることができるという効果がある。また、主制御装置による制御／監視が不可になっても自動的に判断して二次側の上記伝送線に接続された端末器に対する制御／監視を擬似的に維持することが可能となり、１次側の状態が二次側に影響するのを防ぐことが可能になり、トラブル等に対する迅速な対応ができるという効果がある。
【００５０】
請求項２の発明は、請求項１の発明において、複数の端末器を一括して同じ制御内容で若しくは各端末器毎の制御内容で制御する制御モード時の伝送データを伝送データ記憶手段から読み出し、上記中継手段を介して一次側の上記伝送線に接続されている上記主制御装置へ伝送データとして伝送するデータ入出力処理手段と、該データ入出力処理手段の伝送データ記憶手段からのデータ読み出し開始及び一次側の上記伝送線上への伝送開始のトリガを与えるデータ入出力開始手段とを備えているので、グループ制御やパターン制御のデータの伝送データ記憶手段から主制御装置への入出力処理が実施可能、その結果グループ制御やパターン制御のデータの保管や提供ができ、グループ制御やパターン制御のデータに関するトラブル発生時の対応や、主制御装置の交換時のグループ制御やパターン制御のデータの移行が容易になるという効果がある。
【００５３】
請求項３の発明は、請求項１の発明において、予約データを指定する予約データ設定機能手段と、指定された予約データを記憶する予約データ記憶手段と、タイマーデータを処理するタイマー処理手段と、予約データとタイマーデータより指定された端末器の制御処理を実施するタイマー予約制御処理部とを備えているので、監視制御装置からのタイマー予約による各端末器への制御が可能になり、またシステムや各端末器の状態を把握することが可能なので、タイマー予約制御の実施／延期／中止の判断がしやすくなり、実施中の処理への割込みやそれに伴うリトライ処理などを防ぎ、無駄な処理を省くことが可能になり、またその時点で必要な処理を優先的に実施することが可能になるという効果がある。
【図面の簡単な説明】
【図１】  本発明の基本形態１の回路構成図である。
【図２】  本発明の基本形態２の回路構成図である。
【図３】  本発明の基本形態３の回路構成図である。
【図４】  本発明の実施形態１の回路構成図である。
【図５】  本発明の基本形態４の回路構成図である。
【図６】  本発明の基本形態５の回路構成図である。
【図７】  本発明の実施形態２の回路構成図である。
【図８】  本発明の基本形態６の回路構成図である。
【図９】  本発明の実施形態３の回路構成図である。
【図１０】  本発明の基本形態７の回路構成図である。
【図１１】  多重伝送システムの基本的なシステム構成図である。
【図１２】  同上に用いる伝送データのフォーマットの説明図である。
【図１３】  監視制御装置を用いた多重伝送システムの一例を示すシステム構成図である。
【図１４】  監視制御装置を用いた多重伝送システムの別の例を示すシステム構成図である。
【図１５】  従来の監視制御装置の回路構成図である。
【符号の説明】
３１，３２  伝送線
４  監視制御装置
５  一次側伝送部
６  二次側伝送部
７  伝送中継処理部
８  伝送データ記憶部
【図１】
0004196047.tif 000002
【図２】
0004196047.tif 000003
【図３】
0004196047.tif 000004
【図４】
0004196047.tif 000005
【図５】
0004196047.tif 000006
【図６】
0004196047.tif 000007
【図７】
0004196047.tif 000008
【図８】
0004196047.tif 000009
【図９】
0004196047.tif 000010
【図１０】
0004196047.tif 000011
【図１１】
0004196047.tif 000012
【図１２】
0004196047.tif 000013
【図１３】
0004196047.tif 000014
【図１４】
0004196047.tif 000015
【図１５】
0004196047.tif 000016